(57)【要約】【課題】発泡樹脂製の水耕栽培用パネルにおいて、パネル本体を容易に清掃することができ、栽培ポッドを保持する貫通孔の内周面から植物の根が入り込むことを抑制し、繰り返しの使用に適したものとする。【解決手段】発泡樹脂製の水耕栽培用パネル１は、植物を培養液に浮遊させた状態で保持するものであり、平面板形状のパネル本体２と、パネル本体２に形成された複数の貫通孔２１と、貫通孔２１の夫々に嵌め込まれ植物が植えられた栽培ポット３を保持する複数のポッドホルダ４と、を備える。パネル本体２は、外表の全面に樹脂シート５が真空一体成型される。ポッドホルダ４は、貫通孔２１の内周面を被覆するように構成されている。【選択図】図１
0003230423.tif 000002
【実用新案登録請求の範囲】
【請求項１】
植物を培養液に浮遊させた状態で保持する発泡樹脂製の水耕栽培用パネルであって、
平面板形状のパネル本体と、前記パネル本体に格子状に形成された複数の貫通孔と、前記貫通孔の夫々に嵌め込まれ植物が植えられた栽培ポットを保持する複数のポッドホルダと、を備え、
前記パネル本体は、外表の全面に樹脂シートが真空一体成型され、
前記ポッドホルダは、前記貫通孔の内周面を被覆するように構成されていることを特徴とする水耕栽培用パネル。
【請求項２】
前記ポッドホルダは、前記貫通孔の内周面を被覆する筒部と、前記樹脂シートで被覆された前記パネル本体の表面を被覆する鍔部と、を有することを特徴とする請求項１に記載の水耕栽培用パネル。
【請求項３】
前記ポッドホルダは、前記パネル本体の一方の面から前記貫通孔に嵌め込まれる第１部材と、前記パネル本体の他方の面から前記貫通孔に嵌め込まれる第２部材と、から成り、
前記第１部材及び前記第２部材は、夫々前記筒部の一方の端部に前記鍔部が設けられ、該鍔部の無い他方の端部に互いと係合する係合部が設けられていることを特徴とする請求項２に記載の水耕栽培用パネル。
【請求項４】
前記ポッドホルダは、可撓性を有する樹脂材料により形成され、前記筒部の両方の端部に前記鍔部が設けられていることを特徴とする請求項２に記載の水耕栽培用パネル。
【考案の詳細な説明】
【技術分野】
【０００１】
本考案は、植物を培養液に浮遊させた状態で保持する発泡樹脂製の水耕栽培用パネルに関する。
【０００２】
従来から、土壌ではなく、循環させた培養液を用いて、野菜等の植物を栽培する水耕栽培に関する種々の技術が開発されている。この種の技術として、例えば、発泡スチロール等の浮力基体を用いた水耕栽培用パネルが知られている（例えば、特許文献１参照）。
【０００３】
このような水耕栽培用パネルには、複数の貫通孔が形成されており、水耕栽培を行う際には、培養液に浮かせた水耕栽培用パネルの貫通孔内に、植物の苗が植えられた植栽体（栽培ポット）が嵌合、保持される。栽培ポットは、例えば、ウレタンフォームといった多孔質材料から成り、栽培ポットに植えられた植物の根が、下方に向かって生育して培養液に浸され、植物に養分や水分が供給される。植物が生育して出荷される際には、植物と共に栽培ポットを取り外すことにより、水耕栽培用パネル自体は、繰り返し使用することができる。
【先行技術文献】
【特許文献】
【０００４】
【特許文献１】特開２０１８０９−１７１９４４号公報
【考案の概要】
【考案が解決しようとする課題】
【０００５】
しかしながら、水耕栽培用パネルの浮力基体となる発泡スチロール製のパネル本体は、水や栄養が付着すると、藻が発生し易く、しかも、パネル本体の表面には、発泡ビーズに由来する細かな凹凸があり、これらの凹凸に藻が入り込むと、清掃により藻を除去することも困難になる。また、栽培対象の植物が成長すると、その根が栽培ポットよりも広い範囲に延伸し、パネル本体に形成された貫通孔の内周面からパネル本体内部にまで入り込んでしまうことがある。そのため、パネル本体を繰り返し使用できないことがある。
【０００６】
本考案は、上記課題を解決するためになされたものであり、パネル本体を容易に清掃することができ、栽培ポッドを保持する貫通孔の内周面から植物の根が入り込むことを抑制し、繰り返しの使用に適した水耕栽培用パネルを提供することを目的とする。
【課題を解決するための手段】
【０００７】
上記目的を達成するために本考案は、植物を培養液に浮遊させた状態で保持する発泡樹脂製の水耕栽培用パネルであって、平面板形状のパネル本体と、前記パネル本体に格子状に形成された複数の貫通孔と、前記貫通孔の夫々に嵌め込まれ植物が植えられた栽培ポットを保持する複数のポッドホルダと、を備え、前記パネル本体は、外表の全面に樹脂シートが真空一体成型され、前記ポッドホルダは、前記貫通孔の内周面を被覆するように構成されている
【０００８】
上記水耕栽培用パネルにおいて、前記ポッドホルダは、前記貫通孔の内周面を被覆する筒部と、前記樹脂シートで被覆された前記パネル本体の表面を被覆する鍔部と、を有することが好ましい。
【０００９】
上記水耕栽培用パネルにおいて、前記ポッドホルダは、前記パネル本体の一方の面から前記貫通孔に嵌め込まれる第１部材と、前記パネル本体の他方の面から前記貫通孔に嵌め込まれる第２部材と、から成り、前記第１部材及び前記第２部材は、夫々前記筒部の一方の端部に前記鍔部が設けられ、該鍔部の無い他方の端部に互いと係合する係合部が設けられていることが好ましい。
【００１０】
上記水耕栽培用パネルにおいて、前記ポッドホルダは、可撓性を有する樹脂材料により形成され、前記筒部の両方の端部に前記鍔部が設けられていることが好ましい。
【考案の効果】
【００１１】
本考案によれば、パレット本体の外面の全面に樹脂シートが真空一体成形されているので、発泡樹脂がむき出しのものに比べて、藻が付着しても、水洗い等の簡易な掃除をすることで容易に藻を除去することができる。また、貫通孔の内周面は、樹脂シートが被覆されていなくても、ポッドホルダでカバーされるので、貫通孔の内周面から植物の根が入り込むことを抑制することができる。従って、植物の収穫と共に栽培ポットを取り外し、簡易な掃除により、本発明の水耕栽培用パネルは、繰り返し使用することができる。
【図面の簡単な説明】
【００１２】
【図１】本考案の第１の実施形態に係る水耕栽培用パネルのパネル本体と、パネル本体に嵌合されるポッドホルダを分離した構成を示す斜視図。
【図２】上記水耕栽培パネルの使用時の側断面図。
【図３】（ａ）乃至（ｅ）は上記水耕栽培用パネルの製作手順を説明するための図。
【図４】上記実施形態の変形例に係る水耕栽培用パネルのパネル本体と、パネル本体に嵌合されるポッドホルダを分離した構成を示す斜視図。
【図５】上記変形例に係る水耕栽培パネルの使用時の側断面図。
【図６】（ａ）乃至（ｅ）は本考案の第２の実施形態に係る水耕栽培用パネルの製作手順を説明するための図。
【図７】上記第２の実施形態に係る水耕栽培用パネルのパネル本体と、パネル本体に嵌合されるポッドホルダを分離した構成を示す斜視図。
【図８】上記水耕栽培パネルの使用時の側断面図。
【考案を実施するための形態】
【００１３】
本考案の一実施形態に係る水耕栽培用パネルについて、図１乃至図３を参照して説明する。図１及び図２に示すように、本実施形態の水耕栽培用パネル１は、植物を培養液に浮遊させた状態で保持するものである。
【００１４】
水耕栽培用パネル１は、発泡樹脂製で平面板形状のパネル本体２と、パネル本体２に格子状に形成された複数の貫通孔２１と、貫通孔２１の夫々に嵌め込まれ植物が植えられた栽培ポット３を保持する複数のポッドホルダ４と、を備える。
【００１５】
パネル本体２は、発泡合成樹脂の成形体であり、例えば、熱可塑性樹脂の発泡用の粒子を型内に充填し加熱し、発泡させて一体成形される。熱可塑性樹脂は、例えば、スチレン系樹脂であり、又はスチレン系樹脂に、例えば、エチレン系樹脂やオレフィン系樹脂といった他の樹脂を混合させた複合樹脂であってもよい。パネル本体２は、外表の全面（上面、下面及び４側面）に、樹脂シート５が真空一体成型されている（図２参照）。一方、貫通孔２１の内周面は樹脂シート５で被覆されておらず、この被覆されていない内周面は、ポッドホルダ４によって被覆される。
【００１６】
貫通孔２１は、パネル本体２の上面から下面に貫通するように形成されている。この貫通孔２１に、ポッドホルダ４が嵌合され、ポッドホルダ４には、植物Ｐが植えられた栽培ポット３が保持される。水耕栽培用パネル１は、ポッドホルダ４に保持された栽培ポット３を脱着することにより、繰り返し使用することができる。なお、栽培ポット３は、ウレタンフォーム等といった吸水性及び弾力性のある多孔質材料により形成され、生育した植物Ｐが生育し収穫された後に回収され、処分される。
【００１７】
本実施形態のポッドホルダ４は、パネル本体の一方の面（上面）から貫通孔２１に嵌め込まれる第１部材４ａと、パネル本体２の他方の面（下面）から貫通孔２１に嵌め込まれる第２部材４ｂと、の２部材から成る。第１部材４ａ及び第２部材４ｂは、ポリエチレンやポリスチレンといった硬質の樹脂材料により形成される。
【００１８】
第１部材４ａ及び第２部材４ｂは、各々、貫通孔２１の内周面を被覆する筒部４１ａ、４１ｂと、樹脂シート５で被覆されたパネル本体の表面を被覆する鍔部４２ａ、４２ｂと、を有する。なお、本実施形態では、貫通孔２１の内周面は、樹脂シート５で被覆されていない。また、第１部材４ａ及び第２部材４ｂは、夫々筒部４１ａ、４１ｂの一方の端部に上記の鍔部４２ａ、４２ｂが設けられ、鍔部４２ａ、４２ｂの無い他方の端部に互いと係合する係合部４３ａ、４３ｂが設けられている。
【００１９】
筒部４１ａ、４１ｂは、その外径が貫通孔２１の内径と概ね同じであり、貫通孔２１に嵌合されたとき貫通孔２１との間に隙間ができないように密着している。鍔部４２ａ、４２ｂは、筒部４１ａ、４１ｂと一体成形されており、鍔部４２ａ、４２ｂが、樹脂シート５で被覆されたパネル本体２の上面及び下面を被覆することで、樹脂シート５と本体パネル２との間を密閉し、その間に水等が侵入することを抑制する。第１部材４ａ及び第２部材４ｂを係合させたときの筒部４１ａ、４１ｂの高さは、貫通孔２１の深さと概ね同じである。なお、筒部４１ａ、４１ｂの高さを、貫通孔２１の深さよりも僅かに小さくして、両鍔部４２ａ、４２ｂが、パネル本体２の上下面を挟持して、樹脂シート５とパネル本体２とを圧着させるようにしてもよい。また、鍔部４２ａ、４２ｂの形状や大きさは、互いに同じであっても、異なっていてもよい。
【００２０】
本実施形態の係合部４３ａ、４３ｂは、一方の筒部４１ａの端部の内周が僅かに大きく、他方の筒部４１ｂの端部の外周が僅かに小さくなっていて、一方の筒部４１ａに他方の筒部４１ｂが嵌まり込み、互いの摩擦により係合される構成になっている。なお、ここで示した係合部４３ａ、４３ｂは一例であり、第１部材４ａ及び第２部材４ｂを係合できれば、係合部の形状はこれに限られない。
【００２１】
図２は、本実施形態の水耕栽培用パネル１を用いて、植物Ｐを栽培している様子を示す。植物Ｐが植えられた栽培ポット３が装着された水耕栽培用パネル１は、水槽６に満たされた培養液７に浮かべて使用される。水耕栽培用パネル１は、それ自体が発泡樹脂により形成されているので、植物Ｐが植えられた状態の水耕栽培用パネル１が培養液７に浮くために必要な浮力を得ることができる。
【００２２】
培養液７は、植物Ｐの生育に必要な養分及び水分を供給し、必要に応じて循環される。栽培ポット３は、ウレタンフォームといった多孔質材料で形成されているので、培養液７を吸い込み、植物Ｐの根に養分及び水分を供給することができる。なお、水槽６は、複数の水耕栽培用パネル１を列状に並べて載置できるものであってもよく、植物Ｐの生育段階に応じて、植物Ｐが植えられた状態の水耕栽培用パネル１を移動できるように構成されていてもよい。
【００２３】
次に、水耕栽培用パネル１の製作手順を説明する。図３（ａ）に示すように、パネル本体２のベースとなる発泡樹脂板を用意する。そして、このパネル本体２の外表の全面に樹脂シートを真空一体成形により被覆する。図３（ｂ）に示すように、パネル本体２が、その上面を上にして真空容器８１の上面に載置され、その上に樹脂シート５が配置される。なお、図３（ｂ）では、説明の便宜上、ハッチング模様を施した樹脂シート５を示しているが、樹脂シート５は透明であってもよく、パネル本体２と同じ白色であってもよい。
【００２４】
図３（ｃ）に示すように、樹脂シート５の上方にはヒータ８２が配置されており、ヒータ８２が樹脂シート５を加熱して、樹脂シート５を軟化させる。真空容器８１には、内部空間と真空容器８１の上面側外部とを通じる吸引口（不図示）と、内部空間を減圧する減圧ポンプ８３とが設けられている。パネル本体２が載置された真空容器８１は、上方に移動可能となっており、パネル本体２をヒータ８２により軟化した樹脂シート５に密着させると共に、減圧ポンプ８３を作動させて通気口（不図示）を介して、パネル本体２と樹脂シート５との間の空気を吸引し、樹脂シート５をパネル本体２に真空吸着させる。これにより、パネル本体２の上面と４側面とが樹脂シート５によって隙間なく覆われる。
【００２５】
そして、パネル本体２の下面にも、上記と同様の手順により樹脂シート５を被覆させることで、図３（ｄ）に示すように、外表の全面を樹脂シート５で被覆したパネル本体２を得ることができる。次に、ポッドホルダ４の筒部４１と同径のパンチャーを用いて、樹脂シート５と共にパネル本体２をくり抜き、貫通孔２１を形成することで、図３（ｅ）に示すような貫通孔２１が形成されたパネル本体２が得られる。そして、図１に示したように、貫通孔２１にポッドホルダ４を嵌合させることで、本実施形態の水耕栽培用パネル１が得られる。
【００２６】
このように、本実施形態の水耕栽培用パネル１では、外面の全面に樹脂シート５が真空一体成形されているので、発泡樹脂がむき出しのものに比べて、藻が付着しても、水洗い等の簡易な掃除をすることで容易に藻を除去することができる。また、貫通孔２１の内周面は、樹脂シート５が被覆されていなくても、ポッドホルダ４でカバーされるので、貫通孔２１の内周面から植物の根が入り込むことを抑制することができる。従って、植物の収穫と共に栽培ポット３を取り外し、簡易な掃除により、水耕栽培用パネル１は、繰り返し使用することができる。
【００２７】
また、パネル本体２は、一辺の長さが８００ｍｍ以上であり、金型のサイズも大きいが、貫通孔２１を事後的に形成するので、貫通孔２１の数や間隔の異なる複数のパネルを製造するために複数の金型を用意する必要がなく、金型を一種類で済み、製造コストを抑制することができる。
【００２８】
次に、上記実施形態の変形例に係る水耕栽培用パネル１について、図４及び図５を参照して説明する。本変形例に係る水耕栽培用パネル１は、ポッドホルダ４が、可撓性を有する樹脂材料により形成されており、筒部４１の両方の端部に鍔部４２が設けられている。その他の構成は、上記実施形態と同様である。
【００２９】
本変形例では、ポッドホルダ４が、可撓性を有しているので、変形させることができ、例えば、鍔部４２を小さく折り曲げて。貫通孔２１を通すことができる。本変形例によれば、ポッドホルダ４が一部材で済むので、取り扱いを簡易にすることができる。また、ポッドホルダ４が、隙間の無い一体成型品なので、貫通孔２１への水の侵入をより確実に抑制することができる。
【００３０】
次に、本考案の第２の実施形態に係る水耕栽培用パネル１について、図６乃至図８を参照して説明する。上記第１の実施形態に係る水耕栽培用パネル１は、パネル本体２に樹脂シート５を被覆させた後に、貫通孔２１を形成した。これに対して、本実施形態に係る水耕栽培用パネル１は、図６（ａ）に示すように、予め貫通孔２１を形成したパネル本体２を用意する。そして、図６（ｂ）（ｃ）に示すように、上記実施形態と同様の手順で、パネル本体２の上面に樹脂シート５を真空一体成形に被覆させる。パネル本体２の下面にも同様に樹脂シート５を被覆させると、図６（ｄ）に示すように、パネル本体２の上下面だけでなく、貫通孔２１の内周面にも樹脂シート５が被覆されたパネル本体２が得られる。しかし、この場合、図６（ｅ）に示すように、上下面の夫々の樹脂シート５が貫通孔２１内で貼り付いて、貫通孔２１を塞いでしまう。そこで、貫通孔２１内で貼り付いた樹脂シート５をバリ取りする必要があるが、バリ取りした部分では、樹脂シート５がパネル本体２に密着せずに浮いてしまっていることがある。
【００３１】
そこで、本実施形態においても、図７に示すように、貫通孔２１にポッドホルダ４を装着することで、貫通孔２１の内側面を効果的に保護することができる。なお、本実施形態では、貫通孔２１の内周面のうち、バリ取り部分以外は樹脂シート５が被覆されているので、ポッドホルダ４はバリ取り部分をカバーできればよく、図７に示すように、筒部４１の一方の端部にのみ鍔部４２が設けられたポッドホルダ４を用いることもできる。このタイプのポッドホルダ４によれば、ポッドホルダ４が一部材で済むので、取り扱いを簡易にすることができる。なお、図２又は図５で示したような筒部４１の両端に鍔部４２があるポッドホルダ４を用いてもよい。
【００３２】
なお、本考案は、パネル本体が、外表の全面に樹脂シートが真空一体成型されていて、ポッドホルダが、貫通孔の内周面を被覆するように構成されているものであれば、上記実施形態に限らず、種々の変形が可能である。また、例えば、上記第１の実施形態では、水耕栽培用パネルの作製手順において貫通孔を形成したが、出荷段階では貫通孔を形成せず、貫通孔はユーザーサイドでくり抜くようにしてもよい。
【符号の説明】
【００３３】
１    水耕栽培用パネル
２    パネル本体
２１    貫通孔
３    栽培ポッド
４    ポッドホルダ
４ａ    第１部材
４ｂ    第２部材
４１、４１ａ、４１ｂ    筒部
４２、４２ａ、４２ｂ    鍔部
５    樹脂シート
【図１】
0003230423.tif 000003
【図２】
0003230423.tif 000004
【図３】
0003230423.tif 000005
【図４】
0003230423.tif 000006
【図５】
0003230423.tif 000007
【図６】
0003230423.tif 000008
【図７】
0003230423.tif 000009
【図８】
0003230423.tif 000010